(57)【要約】【課題】長期間にわたって厭味のない喫煙を行なうことのできる安価な喫煙補助具を提供する。【解決手段】紙巻煙草を密挿できる程度の内径を有するリング１の内面に、セラミック遠赤外線放射材料の粉末とモナザイト粉末の各微粉末との混合物よりなる被膜２を被着形成してある喫煙補助具、この喫煙補助具のリング１の外面に吊掛孔４を有する張出片３を設けた喫煙補助具、および、煙草喫煙用のパイプ１１の内面に、セラミック遠赤外線放射材料の粉末とモナザイト粉末の各微粉末との混合物よりなる被膜１２を被着形成してある喫煙補助具。【選択図】　図１
0003097001.tif 000002
【実用新案登録請求の範囲】
【請求項１】
紙巻煙草を密挿できる程度の内径を有するリング（１）　の内面に、セラミック遠赤外線放射材料の粉末とモナザイト粉末の各微粉末との混合物よりなる被膜（２）　を被着形成してあることを特徴とする喫煙補助具。
【請求項２】
リング（１）　の外面に吊掛孔（４）　を有する張出片（３）　が設けられている請求項１に記載の喫煙補助具。
【請求項３】
煙草喫煙用のパイプ（１１）の内面に、セラミック遠赤外線放射材料の粉末とモナザイト粉末の各微粉末との混合物よりなる被膜（２）　を被着形成してあることを特徴とする喫煙補助具。
【考案の詳細な説明】
【０００１】
【考案の属する技術分野】
本考案は、煙草臭を極力減少して厭味のない喫煙を行なうことのできる喫煙補助具に関するものである。
【０００２】
【従来の技術】
【特許文献】特開２００２−１６５５８６号公報
【０００３】
煙草臭を極力減少して厭味のない喫煙を行なうことのできる喫煙補助具としては、煙草喫煙用のパイプにニコチン成分を除去できるフィルタ類を内蔵させたものが市販されており、また、特開２００２−１６５５８６号公報などによっても提案されているが、このような喫煙補助具はフィルタ類の寿命が短く、長期間使用を続けることができないものであった。
【０００４】
【考案が解決しようとする課題】
本考案が解決しようとするところは、前記したような問題を解決し、長期間にわたって厭味のない喫煙を行なうことのできる安価な喫煙補助具を提供することにある。
【０００５】
【課題を解決するための手段】
前期のような課題を解決した本考案は、紙巻煙草を密挿できる程度の内径を有するリングの内面に、セラミック遠赤外線放射材料の粉末とモナザイト粉末の各微粉末との混合物よりなる被膜を被着形成してあることを特徴とする喫煙補助具と、この煙草喫煙用のパイプの外面に吊掛孔を有する張出片が設けられている喫煙補助具と、煙草喫煙用のパイプの内面に、セラミック遠赤外線放射材料の粉末とモナザイト粉末の各微粉末との混合物よりなる被膜を被着形成してあることを特徴とする喫煙補助具とよりなるものである。
【０００６】
【考案の実施の形態】
以下、本考案の好ましい実施の形態について詳細に説明する。
図１はリング体タイプの第１の実施例を示すもので、１は紙巻煙草を密挿できる程度の内径を有するリング、２は前記リング１の内面に被着形成してあるセラミック遠赤外線放射材料の粉末とモナザイト粉末の各微粉末との混合物よりなる被膜である。また、図２はリング体タイプの他の実施例を示すもので、前記した第１の実施例との違いは、リング１の外面に吊掛孔４を有する張出片３が設けられたものとした点である。
【０００７】
前記したリング１は耐熱性を有することが好ましいので、実施例では陶磁器製としたが、金属製や合成樹脂製であってもよい。また、リング１の内面に被着形成してあるセラミック遠赤外線放射材料の粉末とモナザイト粉末の各微粉末との混合物よりなる被膜２としては、長期間にわたって厭味のない喫煙を続けることができる性能を損なわないことが必要であるので、アルミナ、ジルコニア、コージライトその他周知のセラミック遠赤外線放射材料の粉末と、放射性源材料としては安価で比較的容易に入手できるモナザイト粉末の各微粉末との混合物よりなる被膜が好ましいが、特に、前記したようなセラミック遠赤外線放射材料の粉末と、放射性源材料としては安価で比較的容易に入手できるモナザイト粉末の各微粉末（例えば、前記したようなセラミック遠赤外線放射材料の粉末と、自然放射性元素の酸化トリウムの含有量として換算して０．３〜２．０重量％に調整したモナザイト粉末とを共に１０μｍ以下の平均粒子径としたものとの混合物）に、固結材としての釉薬素地や顔料を添加して混合した混合材料を塗布焼成した焼成被膜は、製造が容易なうえに耐久性にも優れたものとなるばかりでなく、マイナスイオンをより多く生ずるので極めて効率的な消臭が行われることとなって特に好ましい。
【０００８】
また、図３は吸口型のパイプとした場合の好ましい実施例を示すもので、１１は紙巻煙草の吸口部分を嵌め込むことのできる受け口１１ａを有するパイプ、１２はは前記パイプ１１の内面全体または内面の一部に環状に被着形成してあるセラミック遠赤外線放射材料の粉末とモナザイト粉末の各微粉末との混合物よりなる被膜である。前記したパイプ１１も耐熱性を有することが好ましいので、実施例では陶磁器製としたが、金属製や合成樹脂製であってもよいことは前記した場合と同様である。また、パイプ１１の内面に被着形成してあるセラミック遠赤外線放射材料の粉末とモナザイト粉末の各微粉末との混合物よりなる被膜１２も前記した場合と同様であるから、その詳細な説明は省略する。
【０００９】
このように構成されたものは、図１、図２に示すようなリング体タイプの場合においては、図１に示すように紙巻煙草の吸口近くにリング１が嵌めこまれるように紙巻煙草をリング１に密挿しておくだけで、喫煙時に紙巻煙草の内部を通過する煙に対して、リング１の内面に被着形成してあるセラミック遠赤外線放射材料の粉末とモナザイト粉末の各微粉末との混合物よりなる被膜２が発する遠赤外線およびマイナスイオンが影響を与え、喫煙者の口元に達した煙はまろやかとなって喫煙者は厭味のない喫煙を行なうことができる。
【００１０】
特に、リング１の外面に吊掛孔４を有する張出片３を設けたものの場合には、吊掛孔４に吊掛けた紐などによって携帯電話器などに連繋しておくことにより紛失を防ぐことができるばかりか、張出片３を把持して喫煙できるので、吸殻を殆どのこすことがない程度まで短く吸い続けることができる。
【００１１】
また、図２に示すように紙巻煙草をパイプ１１の受け口１１ａに嵌め込んだ従来と同様のパイプ喫煙を行なうことにより、喫煙時に紙巻煙草の内部を通過する煙に対して、パイプ１１の内面に被着形成してあるセラミック遠赤外線放射材料の粉末とモナザイト粉末の各微粉末との混合物よりなる被膜１２が発する遠赤外線およびマイナスイオンの影響で嫌な匂いが消臭され、喫煙者の口元に達した煙はまろやかとなって喫煙者は厭味のない喫煙を行なうことができる。
【００１２】
本考案は前記説明から明らかなように、喫煙時に紙巻煙草の内部を通過する煙がリングまたはパイプの内面に被着形成してあるセラミック遠赤外線放射材料の粉末とモナザイト粉末の各微粉末との混合物よりなる被膜の発する遠赤外線とマイナスイオンとによってまろやかとなるので、喫煙者は厭味のない喫煙を行なうことができる。しかも、リングやパイプの内面に被着形成してあるセラミック遠赤外線放射材料の粉末とモナザイト粉末の各微粉末との混合物よりなる被膜はその性能を長期間持続できるので、長期間にわたって厭味のない喫煙を続けることのできる安価な喫煙補助具を提供できることとなる。
従って、本考案は従来の紙巻煙草喫煙上の問題を解決した喫煙補助具として実用的価値極めて大きいものがある。
【図面の簡単な説明】
【図１】リング体タイプの第１の実施例を示す断面図である。
【図２】リング体タイプの第２の実施例を示す正面図である。
【図３】吸口型のパイプタイプの好ましい実施例を示す断面図である。
【符号の説明】
１　リング
２　セラミック遠赤外線放射材料の粉末とモナザイト粉末の各微粉末との混合物よりなる被膜
３　張出片
４　吊掛孔
１１　　パイプ
１２　セラミック遠赤外線放射材料の粉末とモナザイト粉末の各微粉末との混合物よりなる被膜
【図１】
0003097001.tif 000003
【図２】
0003097001.tif 000004
【図３】
0003097001.tif 000005